(57)【特許請求の範囲】
【請求項１】
表示面を有する表示装置本体と、
この表示装置本体の周縁部を覆う状態に前記表示装置本体が取り付けられる枠体本体と、
前記枠体本体に前記表示装置本体の表示面に対向して覆う状態に配置される透光性を有した保護板と、
前記枠体本体および前記保護板を前記表示面との対向方向に略沿った方向で弾性変形による復元力にて挾持して前記保護板を前記枠体本体に取り付ける取付部材と、を具備し、
前記枠体本体は、前記表示面が臨む表示窓を開口する四角枠板状で前記保護板の周縁部が重ね合わされる前面部と、この前面部の周縁に一連に折曲形成され前記表示装置本体の周縁を覆う枠部と、前記前面部および前記枠部の折曲部分に設けられた開口部と、を有し、
前記取付部材は、弾性を有する部材にて互いに対向する第１片部および第２片部を有し、前記第１片部および前記第２片部のいずれか一方が前記開口部に挿入されて、前記第１片部および前記第２片部間に弾性変形による復元力にて前記前面部と前記保護板とを挟み込む状態に挾持して、前記保護板を前記枠体本体に取り付ける
ことを特徴とした表示装置。
【発明の詳細な説明】
【技術分野】
【０００１】
本発明は、表示装置本体の表示面を覆う透光性を有した保護板を備えた表示装置に関する。
【背景技術】
【０００２】
従来、このような構成の表示装置として、各種取付機構を用いて表示装置本体が取り付けられる枠体に保護板を取り付ける構成が知られている（例えば、特許文献１ないし特許文献８参照）。
【０００３】
特許文献１に記載のものは、プラズマディスプレイパネルを用いた表示装置の後部を覆うリヤカバーのフランジ部に背面が当接する断面略矩形の前面パネルに、フランジ部の挿通孔に対応したねじ穴を設けている。前面パネルの開放口内周に周設した溝にホルダーを差し入れる。ホルダーとリヤカバーのフランジ部との間に、不要輻射の防止や色補正などを行う光学フィルタの周縁を挾持する状態に、挿通孔を介してねじ穴にネジを取り付け、光学フィルタを組み付ける。
【０００４】
しかしながら、この特許文献１に記載の構成では、光学フィルタがホルダーにてネジにより組み付けられるので、光学フィルタを組み付けるためにホルダーおよびネジの２種の部材が必要で、部品点数が多くなるとともに、ネジ止め作業が必要で、製造性の向上が得られない。また、例えば光学フィルタが外部からの衝撃により傷付くなどの損傷を受けた際に交換する場合でもネジの取り外しや取り付け作業を実施することとなり、作業が煩雑となる。
【０００５】
特許文献２に記載のものは、プラズマディスプレイパネルユニットの背面に設けたボスがビスにて固着される板体の周辺部を、板面に対して略直角に折り曲げて折曲部とする。折曲部の先端をさらに折り曲げ、板体の略板面と平行にしたネジ止め部を設ける。ネジ止め部を前枠の内側に立てたボスにビスで固着する。半透明のアクリルなどからなる光学フィルタの周辺部に開けたビス穴に、前枠の内側の折曲部にビス止めし、光学フィルタを組み付けている。
【０００６】
しかしながら、この特許文献２に記載の構成では、光学フィルタにビス穴を開ける必要があり、例えばガラス基板などにて光学フィルタを形成する場合には、光学フィルタの製造が煩雑となり、さらにはビス止めするために光学フィルタを大きめに形成する必要があり、製造性の向上が得られない。また、ビス止めにより光学フィルタを組み付けているので、作業が煩雑となる。さらに、光学フィルタを交換する場合、板体にビスで固着した前枠を取り外した後に前枠にビス止めされた光学フィルタを取り外し、新しい光学フィルタを前枠にビス止めした後に光学フィルタが取り付けられた前枠を板体にビスで固着するので、ビスの取り外しや固着の作業が多く、作業が煩雑である。
【０００７】
特許文献３に記載のものは、色補正や遮光などを目的としたフィルタパネルを、フロントケースの取付の位置決めの基準となる位置決め部に位置決めしてフィルタ取付金具にて取り付ける。フィルタパネルを取り付けたフィルタ取付金具を、フィルタパネルを挟む状態に締結部品にてフロントケースに固定する。フロントケースは、プラズマディスプレイパネルを取り付けたリアケースに、このリアケースに配設された取付ボスにより螺着されて取り付けられる。
【０００８】
しかしながら、この特許文献３に記載の構成では、フィルタパネルをフィルタ取付金具にて、プラズマディスプレイパネルが取り付けられるリアケースに取り付けられるフロントケースに取り付けるので、フィルタパネルを組み付けるための部材点数が多く、また取付工程数が多く、製造性の向上が得られない。
【０００９】
特許文献４に記載のものは、内面が階段状に形成された上下左右の辺部からなる矩形状の枠体の第１の平坦部に、光学フィルタの縁部を配置する。枠体の内面に対応して階段状に形成された部分金具を、導電性および弾性を有するガスケットを介して光学フィルタの縁部が第１の平坦部に押圧固定される状態に枠体にネジ止め固定する。枠体の背面部を覆う背面カバーを枠体にネジ止め固定し、プラズマディスプレイパネルが光学フィルタ、部分金具、背面カバーにて覆われる状態に組み立てる。
【００１０】
しかしながら、この特許文献４に記載の構成では、光学フィルタを部分金具にて枠体にネジ止め固定するので、光学フィルタを取り付けるために部分金具およびネジの２種の部材が必要で、部品点数が多くなるとともに、ネジ止め作業が必要で、製造性の向上が得られない。さらに、光学フィルタを交換する場合、背面カバーのネジ止め固定を外した後に部分金具のネジ止めを取り外し、新しい光学フィルタを部分金具にて枠体にネジ止め固定した後に背面カバーをネジ止め固定するので、ネジ止め固定の解除や固定作業が多く、作業が煩雑である。
【００１１】
特許文献５に記載のものは、プラズマディスプレイパネルを収容する筐体の表示面の周辺における上部と下部にガイドレールをねじで取り付ける。ガイドレールの片方の先端に、ガイドレールの長尺方向に弾性を有するバネ材でストッパを形成する。光学フィルタをガイドレールと筐体との間隙に横から挿入し、ストッパの反対側で筐体にネジで止める。
【００１２】
しかしながら、この特許文献５に記載の構成では、光学フィルタを筐体にネジで止めるための穴などの構成を設ける必要があり、例えばガラス基板などにて光学フィルタを形成する場合には、光学フィルタの製造が煩雑となり、さらにはビス止めするために光学フィルタを大きめに形成する必要があり、製造性の向上が得られない。また、ネジ止めにより光学フィルタを組み付けるので、作業が煩雑となる。
【００１３】
特許文献６に記載のものは、リアケースにネジにて取り付けられるインナーシャーシに、前面ガラスフィルタをフィルタ取付金具にてネジ止めする。インナーシャーシを覆うように、フロントカバーをインナーシャーシおよびリヤケースにフックにて固定する。
【００１４】
しかしながら、この特許文献６に記載の構成では、前面ガラスフィルタをフィルタ取付金具にてネジによりインナーシャーシに取り付けるので、前面ガラスフィルタを組み付けるためにフィルタ取付金具およびネジの２種の部材が必要で、部品点数が多くなるとともに、ネジ止め作業が必要で、製造性の向上が得られない。
【００１５】
特許文献７に記載のものは、光学フィルタの外周四辺の各背面に四つの薄板板金部材の一端を当接するようにして、四辺のそれぞれに四つの外枠体に形成した嵌合溝に、光学フィルタと薄板板金部材とを挾持するように嵌合する。プラズマディスプレイパネルを取り付けた電磁遮蔽効果を備えた背面ケースの外周四辺の前面に、四つの外枠体をネジなどの結合部材により固着する。
【００１６】
しかしながら、この特許文献７に記載の構成では、光学フィルタを薄板板金部材にて四つの外枠体に取り付けて背面ケースに各外枠体をネジなどにて固着しているので、光学フィルタを取り付けるために、薄板板金部材およびネジの２種の部材が少なくとも必要で、部品点数が多くなるとともに、ネジ止め作業が必要で、製造性の向上が得られない。
【００１７】
特許文献８に記載のものは、プラズマディスプレイパネルを収納する前面枠の少なくとも１つの辺部を、前面枠基体に蝶番にて外側に開閉可能に取り付ける。辺部と直角方向の上下の前面枠に、前面枠内側に開放する溝を設ける。辺部を解放した状態で上下の前面枠の溝に光学フィルタの周縁部を挿入し、前面枠基部に係止する爪を有した係止部を辺部に設け、係止部を光学フィルタの透孔を介して前面枠基部に係止させ、光学フィルタが取り付けられる。
【００１８】
しかしながら、この特許文献８に記載の構成では、光学フィルタを前面枠に取り付けるための透孔を設ける必要があり、例えばガラス基板などにて光学フィルタを形成する場合には、光学フィルタの製造が煩雑となり、さらには光学フィルタを少なくとも透孔の寸法分大きめに形成する必要があり、製造性の向上が得られない。さらには、光学フィルタを取り付けるための辺部を開閉可能に前面枠基部に配設しなければならず構造が複雑となり、製造性の向上が得られない。
【００１９】
【特許文献１】特開２００４−５３８５３号公報
【特許文献２】特開平９−１７１３５８号公報
【特許文献３】特開２０００−１４８０３９号公報
【特許文献４】特開２００１−１４１９７２号公報
【特許文献５】特開平９−２６１５６６号公報
【特許文献６】特開２００４−１１７８７５号公報
【特許文献７】特開平１１−２８２３６７号公報
【特許文献８】特開２０００−４７５９３号公報
【発明の開示】
【発明が解決しようとする課題】
【００２０】
上述したように、上記特許文献１ないし特許文献８に記載のような従来の構成では、光学フィルタなどのプラズマディスプレイパネルの表示面に臨んで配設される保護板を、取付部材にてネジやビスなどにて取り付けたり、光学フィルタに取り付けるための孔を設けたりするなど、製造性の向上が得られないなどの問題がある点が一例として挙げられる。
【００２１】
本発明は、このような点を一つの課題として捉え、簡単な構成で保護板の着脱が容易な表示装置を提供することを１つの目的とする。
【課題を解決するための手段】
【００２２】
請求項１に記載の発明は、表示面を有する表示装置本体と、この表示装置本体の周縁部を覆う状態に前記表示装置本体が取り付けられる枠体本体と、前記枠体本体に前記表示装置本体の表示面に対向して覆う状態に配置される透光性を有した保護板と、前記枠体本体および前記保護板を前記表示面との対向方向に略沿った方向で弾性変形による復元力にて挾持して前記保護板を前記枠体本体に取り付ける取付部材と、を具備し、前記枠体本体は、前記表示面が臨む表示窓を開口する四角枠板状で前記保護板の周縁部が重ね合わされる前面部と、この前面部の周縁に一連に折曲形成され前記表示装置本体の周縁を覆う枠部と、前記前面部および前記枠部の折曲部分に設けられた開口部と、を有し、前記取付部材は、弾性を有する部材にて互いに対向する第１片部および第２片部を有し、前記第１片部および前記第２片部のいずれか一方が前記開口部に挿入されて、前記第１片部および前記第２片部間に弾性変形による復元力にて前記前面部と前記保護板とを挟み込む状態に挾持して、前記保護板を前記枠体本体に取り付けることを特徴とした表示装置である。
【発明を実施するための最良の形態】
【００２４】
以下に、本発明の一実施の形態における表示装置を図面に基づいて説明する。なお、この一実施の形態では、表示装置本体として、プラズマディスプレイパネル（Plasma Display Panel：ＰＤＰ）を例示するが、例えば、液晶表示パネル、有機ＥＬ（Electro Luminescence）パネル、ＦＥＤ（Field Emission Display）、電気泳動ディスプレイパネルなど、画面表示するいずれの形態を対象とすることができる。さらには、表示装置本体としては、画面表示する表示面が平面のものに限らず、例えば湾曲する形状でも適用できる。図１は、表示装置の概略構成を示す一部を切り欠いた断面図である。図２は、表示装置の概略構成を示す分解斜視図である。図３は、クリップ部材を示す断面図である。図４は、クリップ部材を示す斜視図である。
【００２５】
〔表示装置の構成〕
図１において、１００は表示装置で、この表示装置１００は、図示しない入力端子に入力された画像データを画面表示する装置である。この表示装置１００は、筐体２００と、表示装置本体としてのＰＤＰ３００と、保護板としての光学フィルタ４００と、制御部５００と、などを備えている。
【００２６】
筐体２００は、ＰＤＰ３００、光学フィルタ４００および制御部５００を組み付け固定する。この筐体２００は、枠体本体２１０と、背面カバー２２０と、中シャーシ２３０と、化粧枠２４０と、取付部材としてのクリップ部材２５０と、などを備えている。
【００２７】
枠体本体２１０は、図１および図２に示すように、例えば鋼板にてプレス加工により四角枠状に形成されている。この枠体本体２１０は、略中央に四角形の表示窓２１１Ａを開口する四角枠板状の前面部２１１と、この前面部２１１の各辺からそれぞれ同方向に略垂直に折曲されてそれぞれの長手方向の端部が接合されて略四角筒状に形成された枠部２１２と、を有し、四角枠状に形成されている。また、枠体本体２１０には、枠部２１２における前面部２１１と反対側の縁に、内周側に略垂直に折曲され、背面カバー２２０および中シャーシ２３０が取り付けられる取付フランジ部２１３が設けられている。さらに、枠体本体２１０には、枠部２１２における取付フランジ部２１３側に位置して外方に向けて係止片２１４が切り起こし形成され、係止孔２１５が開口形成されている。
【００２８】
また、枠体本体２１０には、前面部２１１および枠部２１２間の折れ線２１６の位置に、クリップ部材２５０が取り付けられるスリット状の開口部２１７が複数開口形成されている。これら開口部２１７は、詳細は後述するが、前面部２１１および枠部２１２の一縁にそれぞれ連続する状態に、所定の寸法で所定の間隔で複数開口形成されている。なお、この枠体本体２１０は、亜鉛メッキなどにて表面処理され表面に導電性が付与されている。また、枠体本体２１０には、前面部２１１における鉛直方向の下側の辺に対応する位置に前方に切り起こされ、さらに先端が上方に向けて折曲され、光学フィルタ４００の下縁部を位置決め保持する位置決め部２１８が折曲形成されている。
【００２９】
さらに、枠体本体２１０の前面部２１１には、図２に示すように、所定の位置の開口部２１７に対応してクリップ部材２５０を取り付けるための取付基準２１９が設けられている。なお、図２は、取付基準２１９として、「→」の刻印を、説明の都合上、鉛直方向における上側の辺に対応する位置に光学フィルタ４００越しに透過して示したものであるが、上側の辺のみに限られない。この取付基準２１９は、刻印に限らず印刷やいわゆるシールである粘着剤や接着剤などにて取り付けられた部材など、各種方法で設けることができ、その表記方法としては「→」に限らず、いずれの形とすることができる。
【００３０】
背面カバー２２０は、図１に示すように、例えば鋼板にてプレス加工により、一面側を開放し、略中央が一面側に膨出する略皿形状に形成されている。この背面カバー２２０には、略中央が膨出する側と反対側に周縁部から折曲された規制片部２２１が折曲形成されている。そして、背面カバー２２０は、周縁部近傍が枠体本体２１０の取付フランジ部２１３に例えばネジ止めなどにより枠体本体２１０の背面側を覆う状態に取り付けられる。
【００３１】
中シャーシ２３０は、図１に示すように、例えば鋼板にて略薄箱形状に形成されている。この中シャーシ２３０には、一面側にＰＤＰ３００が取り付けられる。また、中シャーシ２３０には、ＰＤＰ３００が取り付けられる一面と反対側の他面および内部に、ＰＤＰ３００の縁に設けられた図示しない引出電極にいわゆるフレキシブルケーブル３１０にて接続されＰＤＰ３００の各セルを適宜放電させる制御をする駆動回路や、電力を供給する図示しない電源装置など、ＰＤＰ３００に画面表示させるための制御部５００が組み付けられる。そして、中シャーシ２３０は、ＰＤＰ３００の表示面３０１が枠体本体２１０の表示窓２１１Ａに臨む状態に、枠体本体２１０の取付フランジ部２１３に例えばネジ止めなどにより取り付けられる。この中シャーシ２３０の配設により、ＰＤＰ３００は枠体本体２１０の内周側に配設、すなわちＰＤＰ３００の周縁部が枠体本体２１０にて覆われる状態となる。
【００３２】
化粧枠２４０は、図１および図２に示すように、例えば合成樹脂などにて四角枠状に形成されている。この化粧枠２４０は、枠体本体２１０の枠部２１２の外面側を略覆う形状の四角筒状の筒部２４１と、この筒部２４１の一縁から一連に設けられ内側に傾斜して先端に向けて縮径する傾斜部２４２と、この傾斜部２４２の先端縁から一連に設けられ枠体本体２１０の前面部２１１の前面側を略覆う四角枠状の覆い部２４３と、を有し、四角枠状に形成されている。そして、化粧枠２４０には、図１に示すように、筒部２４１の内面に枠体本体２１０の係止孔２１５に対応する位置に内方に向けて突出し係止片２１４に係止される係合爪部２４４が設けられ、化粧枠２４０は係合爪部２４４が係止孔２１５に嵌挿されて係止片２１４に係止され、枠体本体２１０の外周面および前面側を覆う状態に枠体本体２１０に取り付けられる。
【００３３】
クリップ部材２５０は、例えば鋼板などにて断面略Ｕ字状にプレス加工されて形成されている。このクリップ部材２５０は、図１ないし図４に示すように、長手板状の第１片部２５１を有している。この第１片部２５１は、長手方向の一縁が略垂直に折曲された段差部２５１Ａが設けられている。さらに、段差部２５１Ａの先端縁には、第１片部２５１の他縁側と反対側に略垂直に折曲された挾持部２５１Ｂが設けられている。この挾持部２５１Ｂの先端部は、段差部２５１Ａが折曲される方向と反対側に略く形状に折り曲げ形成された付勢部２５１Ｃが設けられている。また、第１片部２５１の他縁には、図１、図３および図４に示すように、枠体本体２１０の前面部２１１の厚さ寸法と略同寸法で折り返された第２片部２５２，２５３が複数折曲形成されている。本実施の形態では、５つ設けた構成を例示する。これら第２片部２５２，２５３の先端は、第１片部２５１との相対する側と反対側に折曲された案内片２５２Ａ，２５３Ａがそれぞれ設けられている。
【００３４】
これら第２片部２５２，２５３は、通常時において、第１片部２５１に対して枠体本体２１０の前面部２１１の厚さ寸法より幅狭の間隙を介して略対向する状態に形成され、第１片部２５１と相対する側と反対側に弾性変形可能に形成されている。そして、図２および図３に示すように、第１片部２５１の長手方向における略中央の位置に折曲形成された第２片部２５２は、第１片部２５１の長手方向の両側に位置する対をなす他の第２片部２５３と異なる幅寸法、例えば幅広に形成されている。さらに、略中央の第２片部２５２は、両側の対をなす第２片部２５３に対して、これら両側に位置する第２片部２５３同士の間隔と異なる間隔、例えば幅広の間隔となる状態に形成されている。
【００３５】
また、枠体本体２１０の開口部２１７は、図２に示すように、これら第２片部２５２，２５３が挿入可能な長さ寸法で、かつ挿入可能な間隔に形成されている。これら開口部２１７の長さ寸法および間隔の設定は、本実施の形態では、枠体本体２１０の前面部２１１に設けられた取付基準２１９に対応する開口部２１７に略中央の第２片部２５２が挿入された場合を例示するが、例えばクリップ部材２５０の端部の位置が取付基準２１９の位置となる構成に設定するなど、適宜設計される。さらに、開口部２１７の幅寸法は、図１に示すように、長手方向の枠部２１２側の一側縁と前面部２１１側の他側縁との前後方向および鉛直方向における寸法が、クリップ部材２５０の厚さ寸法と略同寸法もしくは若干幅広に形成されている。すなわち、クリップ部材２５０の第２片部２５２，２５３が開口部２１７から挿入され第１片部２５１および第２片部２５２，２５３にて前面部２１１を挾持可能となっている。
【００３６】
そして、クリップ部材２５０は、第２片部２５２，２５３が開口部２１７に挿入され、図１に示すように、第１片部２５１および第２片部２５２，２５３の折り返し部分が開口部２１７の開口縁に当接、あるいは第１片部２５１の段差部２５１Ａが枠体本体２１０の前面部２１１の前面に配置する光学フィルタ４００の周面に略当接し、さらに挿入できなくなった状態で、枠体本体２１０に着脱可能に取り付けられる。この取り付けられた状態では、クリップ部材２５０の第１片部２５１および第２片部２５２，２５３がこれらの相対する側と反対側への弾性変形による復元力にて、枠体本体２１０の前面部２１１を厚さ方向で挾持する。さらに、この取り付けられたクリップ部材２５０は、図１に示すように、挾持部２５１Ｂと第２片部２５２，２５３とにて、相対する側と反対側への弾性変形による復元力にて前面部２１１および光学フィルタ４００を厚さ方向で挾持し、光学フィルタ４００をＰＤＰ３００の表示面３０１に対向して覆う状態に枠体本体２１０に取り付ける。
【００３７】
光学フィルタ４００は、例えばガラス板にて枠体本体２１０の表示窓２１１Ａを閉塞する大きさの板状に形成され、表面に色補正や反射防止、電子波の透過阻止などのためのフィルタ処理が施されている。そして、光学フィルタ４００は、クリップ部材２５０にて枠体本体２１０に取り付けられた状態で、周縁部が枠体本体２１０の前面部２１１に重なり、導通が得られる状態となっている。
【００３８】
〔表示装置の動作〕
次に、上記表示装置１００の組立動作として光学フィルタ４００を取り付ける動作について説明する。なお、組立動作としては、説明の都合上、単に光学フィルタ４００を着脱する動作で説明し、背面カバー２２０を取り付けるなどの工程については省略する。
【００３９】
あらかじめＰＤＰ３００および制御部５００が配設された中シャーシ２３０および背面カバー２２０が取り付けられた枠体本体２１０に、この枠体本体２１０の位置決め部２１８に光学フィルタ４００の長手方向の一縁を係止させ、枠体本体２１０の前面部２１１に周縁部が重なる状態に保持させる。この光学フィルタ４００を保持する工程により、光学フィルタ４００は、枠体本体２１０の表示窓２１１Ａから臨むＰＤＰ３００に対向して表示窓２１１Ａを閉塞する。
【００４０】
この後、クリップ部材２５０の第２片部２５２が枠体本体２１０の取付基準２１９に対応する開口部２１７に挿入される状態で、第２片部２５２，２５３をそれぞれ開口部２１７に挿入する。この挿入の際、第１片部２５１および第２片部２５２，２５３の折り返し部分を枠体本体２１０の背面側に倒し込んだ状態で傾斜する案内片２５２Ａ，２５３Ａの先端を各開口部２１７へ挿入させることで、作業者は開口部２１７の位置を容易に確認しつつ挿入させることが可能となり、容易に挿入できる。そして、クリップ部材２５０の第１片部２５１および第２片部２５２，２５３の内面側をそれぞれ開口部２１７の開口縁で滑動する状態にクリップ部材２５０の第２片部２５２，２５３を開口部２１７へ押し込む。
【００４１】
この押し込みにより、第１片部２５１および第２片部２５２，２５３は、これらの相対する側と反対側へ間隙が開く状態に弾性変形され、この弾性変形による復元力にて第１片部２５１および第２片部２５２，２５３が前面部２１１を挾持する。さらに、押し込みにより、第１片部２５１の付勢部２５１Ｃが光学フィルタ４００の周縁に当接し、第１片部２５１がさらに間隙が開く状態に弾性変形し、付勢部２５１Ｃが光学フィルタ４００を乗り越える状態となる。そして、第１片部２５１の段差部２５１Ａが光学フィルタ４００の周面に当接してさらに押し込んで挿入できなくなる状態でクリップ部材２５０が枠体本体２１０に取り付けられる。この取り付けられた状態で、第１片部２５１の挾持部２５１Ｂの付勢部２５１Ｃと第２片部２５２，２５３との間で、弾性変形による復元力により、重なり合う枠体本体２１０の前面部２１１および光学フィルタ４００が、光学フィルタ４００とＰＤＰ３００との対向方向となる厚さ方向で挾持され、光学フィルタ４００がＰＤＰ３００の表示面３０１に対向して覆う状態に枠体本体２１０に取り付けられる。
【００４２】
この後、化粧枠２４０の係合爪部２４４を枠体本体２１０の係止孔２１５に挿入して係止片２１４に係止させ、化粧枠２４０の内周側に枠体本体２１０を前面側から嵌挿する状態に化粧枠２４０を枠体本体２１０の外周および前面を覆う状態に取り付ける。
【００４３】
一方、例えば光学フィルタ４００を交換する場合には、化粧枠２４０を取り外し、クリップ部材２５０を開口部２１７から引き抜くようにして取り外す。そして、光学フィルタ４００を枠体本体２１０の位置決め部２１８から取り外すことで、枠体本体２１０から取り外される。そして、新しい光学フィルタ４００を、上述した組立動作と同様にしてクリップ部材２５０にて取り付ければよい。
【００４４】
〔表示装置の作用効果〕
上述したように、上記実施の形態では、ＰＤＰ３００の周縁部を覆う状態に配設する枠体本体２１０と、この枠体本体２１０にＰＤＰ３００の表示面３０１に対向して覆う状態に配置した透光性を有する光学フィルタ４００とを、クリップ部材２５０により光学フィルタ４００の表示面３０１との対向方向に略沿った方向で弾性変形による復元力にて挾持し、光学フィルタ４００を枠体本体２１０に取り付けている。このため、上記例示した構成のように、単に枠体本体２１０に設けた開口部２１７に弾性を有するクリップ部材２５０を取り付ける簡単な構成で、単に挟み込むようにしてクリップ部材２５０を簡単な作業で取り付けできる。したがって、例えば金具とネジやビスなどとにて光学フィルタ４００を取り付ける場合に比して部品数が少なく、取付作業も容易で、また光学フィルタ４００に取り付けるための穴などを設ける必要もなく、簡単な構成で容易に光学フィルタ４００を着脱できる。
【００４５】
そして、枠体本体２１０として、ＰＤＰ３００の表示面３０１が臨む表示窓２１１Ａを開口する四角枠板状で光学フィルタ４００の周縁部が重なり合う前面部２１１と、この前面部２１１の周縁に一連に折曲形成しＰＤＰ３００の周縁を覆う枠部２１２を有した枠形状に形成し、クリップ部材２５０を前面部２１１と光学フィルタ４００とを挟み込む状態に挾持して枠体本体２１０に取り付けている。このため、クリップ部材２５０として、例えば枠体本体２１０全体と光学フィルタ４００とを挾持する形状に比して、単に重なり合う光学フィルタ４００および前面部２１１の厚さ寸法分を挾持する構成とすればよく、クリップ部材２５０の形状が簡略化でき、小型化が容易にでき、クリップ部材２５０の製造性の向上も容易に得られる。
【００４６】
さらに、枠体本体２１０の前面部２１１および枠部２１２の折曲部分である折れ線２１６の位置に開口部２１７を設け、クリップ部材２５０として、弾性を有する鋼板などの部材にて互いに対向する第１片部２５１および第２片部２５２，２５３を設け、開口部２１７に第２片部２５２，２５３を挿入することで、第１片部２５１および第２片部２５２，２５３間に前面部２１１および光学フィルタ４００を挟み込む状態に挾持して取り付けている。このため、第１片部２５１および第２片部２５２，２５３を、例えば上記例示した構成のように、鋼板を折り返して第１片部２５１および第２片部２５２，２５３を形成する断面略Ｕ字状にプレス加工する簡単な構造で製造が容易な構成とすることができる。したがって、取り付けた際にクリップ部材２５０が枠体本体２１０から大きく突出するなどがなく、小型化が容易に図れ、製造性の向上も容易に図れる。
【００４７】
特に、開口部２１７を第２片部２５２，２５３が挿入可能なスリット状に形成しているので、枠体本体２１０の強度の低下を抑制でき、またクリップ部材２５０を取り付けた際に開口する領域の一部が塞がれる状態となり、開口部２１７を介してＰＤＰ３００の動作の際に生じる電磁波の漏れも抑制できる。さらに、金属板である鋼板を折曲形成する簡単な構成であることから、弾性変形による復元力にて挾持する構成を容易に形成できるとともに、光学フィルタ４００の前面側に導通するフィルタ処理が施される場合でも、クリップ部材を介した導通も得られ、フィルタ処理による電磁波の防止も容易に得られる。
【００４８】
そして、枠体本体２１０の開口部２１７に挿入される第２片部２５２，２５３の先端に、第１片部２５１および第２片部２５２，２５３の対向方向に対して反対側に斜めに傾斜する状態に案内片２５２Ａ，２５３Ａをそれぞれ折曲形成している。このため、第１片部２５１および第２片部２５２，２５３間に前面部２１１を挟み込むように第２片部２５２，２５３を開口部２１７に挿入する際に、開口部２１７の位置を作業者が容易に視認でき、また案内片２５２Ａ，２５３Ａが開口部２１７の開口縁を活動する状態で第２片部２５２，２５３を開口部２１７内に案内されるので、クリップ部材２５０を取り付ける作業がさらに容易にできる。
【００４９】
また、クリップ部材２５０として、開口部２１７に挿入される第２片部２５２，２５３を、第２片部２５２および第２片部２５３の幅寸法が異なる状態に形成し、開口部２１７もこれら幅寸法に対応した長さ寸法に開口形成している。このため、特に上記例示した構成のように枠体本体２１０の一辺に対して複数のクリップ部材２５０を取り付ける場合でも、誤って異なる開口部２１７に第２片部２５２，２５３が挿入されて取り付けられることを簡単な構成で容易に防止でき、取付作業の作業効率をより向上できる。
【００５０】
さらに、クリップ部材２５０として、開口部２１７に挿入される第２片部２５２，２５３を、第２片部２５２および第２片部２５３との間隔と、隣り合う第２片部２５３同士の間隔とが異なる寸法に形成し、開口部２１７もこれら間隔に対応した間隔で開口形成している。このため、特に上記例示した構成のように枠体本体２１０の一辺に対して複数のクリップ部材２５０を取り付ける場合でも、誤って異なる開口部２１７に第２片部２５２，２５３が挿入されて取り付けることを簡単な構成で容易に防止でき、取付作業の作業効率をより向上できる。
【００５１】
そして、枠体本体２１０の一辺に複数のクリップ部材２５０を取り付ける構成としているので、例えば上記例示した構成のように、枠体本体２１０の長手方向となる横方向で４つ、短手方向となる縦方向で２つ取り付けるなど、クリップ部材２５０を同一形状として適宜複数取り付ける構成とすることができ、同一形状のクリップ部材２５０を用いることにより製造性を向上できる。
【００５２】
特に、ＰＤＰ３００の動作により生じる電磁波の透過を抑制するフィルタ処理を光学フィルタ４００に施した構成に適用している。このため、ＰＤＰ３００の保護のみならず、電磁波の漏洩も防止できる。
【００５３】
また、枠体本体２１０に光学フィルタ４００の一縁を保持する位置決め部２１８を設けている。このため、光学フィルタ４００を平面が鉛直方向となる状態で取り付けることも容易にでき、組立汎用性を向上できるとともに、光学フィルタ４００が位置決めされるので、クリップ部材２５０による取付も容易にでき、作業性を向上できる。特に、ＰＤＰ３００を用いる構成に適用しているので、一般的にガラス基板が利用されて比較的に重量が重い光学フィルタ４００を位置決め部２１８に位置決め保持させることで、光学フィルタ４００を保持しつつ取り付ける作業を実施する必要がなく、単にクリップ部材２５０を取り付ける動作のみでよく、特に容易に取り付けでき、作業性が特に向上できる。
【００５４】
そして、枠体本体２１０として、導電性の亜鉛メッキなどにて表面処理して導電性を付与している。このことにより、例えば保護板を用いず、表示面３０１に光学フィルタ４００のフィルタ処理と同様の特性のフィルタ処理を施したＰＤＰ３００を用いる場合においても、クリップ部材２５０を用いず、フィルタ処理された表示面３０１の周縁部が枠体本体２１０の前面部２１１に接触、もしくは導電性のガスケットを介して接触させる状態で配設させることで導通が得られることとなる。枠体本体２１０として、光学フィルタ４００を用いない構成にも流用でき、製造性をより向上できる。
【００５５】
〔実施形態の変形〕
なお、本発明は、上述した一実施の形態に限定されるものではなく、本発明の目的を達成できる範囲で以下に示される変形をも含むものである。
【００５６】
すなわち、上述した実施の形態では、重なり合う前面部２１１および光学フィルタ４００の部分を挾持するクリップ機構のクリップ部材２５０を利用する構成について説明したが、この形状に限られない。例えば枠体本体２１０全体と光学フィルタ４００とを挾持するように枠体本体２１０の裏面から前面側に亘る形状とするなど、挟み込んで挾持して取り付けるいずれの形状に形成できる。なお、例えば枠体本体２１０全体と光学フィルタ４００とを挾持する構成とする場合には、クリップ部材２５０が挿入される開口部２１７を設けなくてよく、枠体本体２１０の製造性を向上できる。
【００５７】
また、クリップ部材２５０として、鋼板を折り返すように折曲形成して全体的に弾性を有する構成としたが、この形態に限られない。例えば、第１片部２５１および第２片部２５２，２５３の相対する対向方向で弾性変形による復元力が作用するようにバネ部材にて連結するなど、第１片部２５１および第２片部２５２，２５３自体は弾性変形せず、互いの間隙間を復元力が狭める方向に作用して挾持するいずれの構成が適用できる。このように、金属板などにて折曲形成しない構成、例えば第１片部２５１と第２片部２５２，２５３を板ばね部材にて連結するなど、いずれの形態でも適用できる。
【００５８】
そして、第２片部２５２，２５３を異なる幅寸法に形成したが、同一幅寸法に形成してもよい。なお、このような場合、間隔が異なるように設けることで、誤った位置に取り付けることを防止できるので好ましい。また、第２片部２５２，２５３の間隔を異なる間隔で設けて説明したが、同一間隔で形成してもよい。このような場合でも、誤った位置に取り付けることを防止するために、異なる幅寸法に形成することが好ましい。
【００５９】
また、案内片２５２Ａ，２５３Ａを設けて説明したが設けなくてもよい。さらに、段差部２５１Ａを設けたが、段差部２５１Ａを設けず第２片部２５２，２５３との折り返し部分から斜めに第１片部２５１を形成し、この第１片部２５１の先端部に挾持部２５１Ｂや付勢部２５１Ｃを設けるなどしてもよい。また、挾持部２５１Ｂを設けず付勢部２５１Ｃのみ設けたり、付勢部２５１Ｃを設けずに挾持部２５１Ｂを設けるのみとするなどしてもよい。すなわち、光学フィルタ４００を取り付けるクリップ部材２５０としては、挟み込んで挾持保持するいずれの形状とすることができる。
【００６０】
さらに、枠体本体２１０としては、上述した前面部２１１および枠部２１２を有した枠形状に限らず、ＰＤＰ３００など表示装置本体の周縁を覆ういずれの形状とすることができる。また、位置決め部２１８を設けなくてもよい。このような場合には、表示窓２１１Ａの平面が略水平方向となる状態で光学フィルタ４００を取り付ければよい。
【００６１】
また、光学フィルタ４００を前面部２１１に直接重なり合う状態で説明したが、ガスケットなどの導電性を有した軟質部材を介して重なり合う状態としてもよい。このガスケットを用いる場合には、前面部２１１側もしくは光学フィルタ４００側のいずれの位置に設けてもよい。そして、光学フィルタ４００としては、単にガラス基板やアクリル板などのように、透光性を有し表示面３０１で表示される状態が視認できる各種材料にて形成でき、電磁波の透過を抑制するフィルタ処理を施さない単に保護する構成としてもよい。
【００６２】
本発明は、上述した一実施の形態および実施形態の変形のみに限ることなく、その他、本発明の目的を逸脱しない範囲で様々な応用が可能である。
【００６３】
〔実施の形態の作用効果〕
上述したように、上記実施の形態では、ＰＤＰ３００の周縁部を覆う状態に配設する枠体本体２１０と、この枠体本体２１０にＰＤＰ３００の表示面３０１に対向して覆う状態に配置した透光性を有する光学フィルタ４００とを、クリップ部材２５０により光学フィルタ４００の表示面３０１との対向方向に略沿った方向で弾性変形による復元力にて挾持し、光学フィルタ４００を枠体本体２１０に取り付けている。このため、例えば単に枠体本体２１０に設けた開口部２１７に弾性を有するクリップ部材２５０を取り付ける簡単な構成で、単に挟み込むように挿入する簡単な作業でクリップ部材２５０を取り付けできる。したがって、例えば金具とネジやビスなどとにて光学フィルタ４００を取り付ける場合に比して部品数が少なく、取付作業も容易で、また光学フィルタ４００に取り付けるための穴などを設ける必要もなく、簡単な構成で容易に光学フィルタ４００を着脱できる。
【図面の簡単な説明】
【００６４】
【図１】本発明の一実施の形態に係る表示装置の概略構成を示す一部を切り欠いた断面図である。
【図２】前記一実施の形態における表示装置の概略構成を示す分解斜視図である。
【図３】前記一実施の形態におけるクリップ部材を示す断面図である。
【図４】前記一実施の形態におけるクリップ部材を示す背面側からの斜視図である。
【符号の説明】
【００６５】
１００      表示装置
２１０      枠体本体
２１１      前面部
２１２      枠部
２１６      折曲部分である折れ線
２１７      開口部
２１８      位置決め部
２５０      取付部材としてのクリップ部材
２５１      第１片部
２５２，２５３      第２片部
２５２Ａ，２５３Ａ      案内片
３００      プラズマディスプレイパネル（ＰＤＰ）
３０１      表示面
４００      保護板としての光学フィルタ
【図１】
0004832029.tif 000002
【図２】
0004832029.tif 000003
【図３】
0004832029.tif 000004
【図４】
0004832029.tif 000005